(57)【要約】      （修正有）【課題】広範囲に飛散する粉塵や飛沫を効率良く吸引可能な吸気装置を提供する。【解決手段】吸引フード内面がメガフォン内面形状であり、捕集空間が広く、広範囲に飛散する粉塵や飛沫を効率良く吸引することが可能となるよう構成され、整流部材０２０４は、吸引フード内部に配置され、吸引口０２０５から吸引された空気を空洞部内に導入する機能を有し、整流部材は、流体の流れてゆく向きを上側として、排出口０２０６に向かって凸形状であり、支持台０２０７によって吸引フード内部に固定されている構成とする。【選択図】図２
2014210003.tif 000002
【特許請求の範囲】
【請求項１】
流体の流れてゆく向きを上側として凸形状の整流部材を備えた吸引フードを有する吸気装置。
【請求項２】
前記整流部材は略卵型、略円錐型、略角錐型、略部分球型から選ばれるいずれか一の型である請求項１に記載の吸気装置。
【請求項３】
前記吸引フード内面は、メガフォン内面形状である請求項１又は２に記載の吸気装置。
【請求項４】
前記整流部材は、前記吸引フード内に完全に収容される請求項１から３のいずれか一に記載の吸気装置。
【請求項５】
前記整流部材は、前記吸引フード外にもはみだして設けられる請求項１から３のいずれか一に記載の吸気装置。
【請求項６】
前記吸引フード外にはみだして設けられる整流部材部分は、流体の流れてくる向きを上側として凸形状の整流部材部分である請求項５に記載の吸気装置。
【発明の詳細な説明】
【技術分野】
【０００１】
本発明は、吸引フードの開口部分に整流部材を備えた吸気装置に関する。
【背景技術】
【０００２】
歯科治療においては、診療中に口腔外へ飛散する歯や補修物の削りかす、唾液、細菌、血液、洗浄水、歯面清掃剤等の粉塵や飛沫を患者の口元で吸引し、患者や歯科医療従事者の健康を守ると同時に診療室内を清潔に保つために、口腔外吸気装置が利用されている。
【先行技術文献】
【特許文献】
【０００３】
【特許文献１】特開２０１２−７５７０５
【発明の概要】
【発明が解決しようとする課題】
【０００４】
しかしながら、上記従来技術においては、吸引力が弱かったり、吸引フードと口腔との間の距離や位置関係が適切でなかったりすることによって、これらの粉塵や飛沫を完全に吸引できないという問題点があった。
【０００５】
そこで、本発明は、吸引力を向上させるために、吸引フードの開口部分に整流部材を備えた吸気装置を提供することを課題とする。
【課題を解決するための手段】
【０００６】
本発明が提供する吸気装置は、具体的には、次のような吸気装置である。
【０００７】
第１発明では、流体の流れてゆく向きを上側として凸形状の整流部材を備えた吸引フードを有する吸気装置を提供する。
【０００８】
第２発明では、第１発明を基本として、整流部材が略卵型、略円錐型、略角錐型、略部分球型から選ばれるいずれか一の型である吸気装置を提供する。
【０００９】
第３発明では、第１発明又は第２発明のいずれか一を基本として、吸引フード内面がメガフォン内面形状である吸気装置を提供する。
【００１０】
第４発明では、第１発明から第３発明のいずれか一を基本として、整流部材が吸引フード内に完全に収容される吸気装置を提供する。
【００１１】
第５発明では、第１発明から第３発明のいずれか一を基本として、整流部材が吸引フード外にもはみだして設けられる吸気装置を提供する。
【００１２】
第６発明では、第５発明を基本として、吸引フード外にはみだして設けられる整流部材部分が流体の流れてくる向きを上側として凸形状の整流部材部分である吸気装置を提供する。
【発明の効果】
【００１３】
本発明によれば、広範囲に飛散する粉塵や飛沫を効率良く吸引可能な吸気装置を提供できる。
【発明を実施するための形態】
【００１４】
以下に、図を用いて本発明の実施の形態を説明する。なお、本発明はこれらの実施の形態に何ら限定されるものではなく、その要旨を逸脱しない範囲において、種々なる態様で実施しうる。なお、実施形態１は、主に請求項１ないし３について説明する。実施形態２は、主に請求項４について説明する。実施形態３は、主に請求項５及び６について説明する。
≪実施形態１≫
<実施形態１：概要>
【００１５】
本実施形態の吸気装置は、吸引フードに、流体の流れてゆく向きを上側として凸形状の整流部材が備えられていることを特徴とする。
<実施形態１：構成>
【００１６】
本実施形態の吸気装置は、整流部材を備えた吸引フードを有し、他に、本体やアーム等を有していても良い。図１を参照する。図１は、本実施形態の吸気装置の全体を示す概念図である。
【００１７】
「本体」（０１０１）には、吸引を行うために負圧を発生させる機構が備えられている。具体的には、電源を入れることでモーターが回転を開始し、モーターの回転軸に接続された部材が回転して本体内部に負圧を発生させる、といった具合である。
【００１８】
「アーム」（０１０２）とは、本体に接続される部品であって、後に詳述する吸引フードを支持する機能を有する。図１に示すように、アームにはいくつかの関節が備えられていることが望ましい。このように構成することによって、アームの先端に接続される吸引フードの位置を容易に調整することが可能となる。
【００１９】
「吸引フード」（０１０３）とは、アームの先端に接続される部品であって、粉塵や飛沫を捕集する機能を有する。ここで、図２を参照する。図２は、本実施形態の吸気装置における吸引フード部分を拡大した図である。なお、点線で描かれた部分は、吸引フード内部の構造を示している。図２に示すように、本実施形態においては、吸引フード内面がメガフォン内面形状となるよう構成されている。このように構成することによって、捕集空間がより広くなり、広範囲に飛散する粉塵や飛沫を効率良く吸引することが可能となる。
【００２０】
「整流部材」（０２０４）は、吸引フード内部に配置される部品であって、吸引口（０２０５）から吸引された空気を空洞部内に導入する機能を有する。本実施形態の整流部材は、流体の流れてゆく向きを上側として凸形状であることを特徴とする。流体の流れてゆく向きを上側として凸形状とは、図２に示すように、排出口（０２０６）に向かって凸形状であることを意味する。整流部材は、支持台（０２０７）によって吸引フード内部に固定されている。
【００２１】
図３を参照する。図３は、従来技術における整流の様子を示す概念図である。図３に示すように、従来技術におけるような板状の整流部材では、渦の発生を十分に防止することができなかった。
【００２２】
図４を参照する。図４は、本実施形態の吸気装置における整流の様子を示す概念図である。図４に示すように、整流部材を排出口に向かって凸形状の略部分球型に構成した場合、吸引された空気は凸面に沿って導入されるため、渦を発生させることがなく、スムーズに排出口まで運ばれる。なお、渦の発生しうる捕集空間の体積を最小化するために、整流部材の端から排出口までの距離ｘは、短い方がより望ましい。
【００２３】
なお、整流部材の形状としては、略部分球型以外にも、図５に示すように略卵型とすることや、図６に示すように略円錐型とすることや、図７に示すように略角錐型とすることが考えられる。いずれの形状においても、吸引された空気は整流部材の凸面に沿ってスムーズに排出口まで運ばれることとなる。
【００２４】
図８ａないしｄは、吸気装置が煙を吸引する様子を撮影した写真である。図８ａは、整流部材を平面状に構成した場合の写真であり、図８ｂは、整流部材を、流体の流れてゆく向きを下側として凸形状に構成した場合の写真であり、図８ｃは、整流部材を、流体の流れてゆく向きを上側として凸形状の略部分球型に構成した場合の写真であり、図８ｄは、整流部材を、流体の流れてゆく向きを上側として凸形状の略卵型に構成した場合の写真である。図８ｃ及びｄには、図８ａ及びｂと比較して、吸引される煙の筋が明瞭に表れている。したがって、本実施形態のように整流部材を構成することで、排出口付近における渦の発生が防止され、吸引線速度が向上することが示された。
<実施形態１：効果>
【００２５】
本発明によれば、広範囲に飛散する粉塵や飛沫を効率良く吸引可能な吸気装置を提供できる。
<<実施形態２>>
<実施形態２：概要>
【００２６】
実施形態１の吸気装置においては、整流部材の一部が吸引フードの外に配置されている場合、当該部分に沿って導入された空気は直ちに排出口まで流れていかず、粉塵や飛沫の一部が周辺に飛び散るという問題点がある。
【００２７】
本実施形態の吸気装置は、かかる問題点を解決するために、整流部材を吸引フード内に完全に収容したことを特徴とする。
<実施形態２：構成>
【００２８】
本実施形態の吸気装置は、本体と、アームと、吸引フードと、整流部材と、からなる。本体、アーム、及び吸引フードに関しては、実施形態１で説明したところと同様であるので、説明を省略する。また、整流部材に関しては、以下に述べる点を除いて、実施形態１で説明したところと同様である。
【００２９】
図９を参照する。図９は、本実施形態の吸気装置における吸引フード部分を拡大した図である。図９に示すように、本実施形態における「整流部材」（０９０４）は、吸引フード内に完全に収容されるように配置されている。このように構成することによって、整流部材の凸面に沿って導入された空気が全て排出口まで流れてゆくこととなり、粉塵や飛沫の吸引効率が向上する。
<実施形態２：効果>
【００３０】
本発明によれば、広範囲に飛散する粉塵や飛沫を効率良く吸引可能な吸気装置を提供できる。
<<実施形態３>>
<実施形態３：概要>
【００３１】
本実施形態の吸気装置は、整流部材の一部が吸引フード外にはみだして設けられ、かつ、はみだして設けられる部分は流体の流れてくる向きを上側として凸形状であることを特徴とする。
<実施形態３：構成>
【００３２】
本実施形態の吸気装置は、本体と、アームと、吸引フードと、整流部材と、からなる。本体、アーム、及び吸引フードに関しては、実施形態１で説明したところと同様であるので、説明を省略する。また、整流部材に関しては、以下に述べる点を除いて、実施形態１で説明したところと同様である。
【００３３】
ここで、図１０を参照する。図１０は、本実施形態の吸気装置における吸引フード部分を拡大した図である。図１０に示すように、本実施形態における「整流部材」（１００４）は、吸引フード外にもはみだして設けられ、はみだして設けられる整流部材部分（１００８）は、流体の流れてくる向きを上側として凸形状となるよう構成されている。
【００３４】
本実施形態の吸気装置においては、吸引フード外にはみだして設けられた整流部材部分が凸形状であるため、当該整流部材部分に沿って導入された空気がスムーズに吸引フード内に運ばれ、粉塵や飛沫が周辺に飛び散ることがない。また、整流部材を図１０に示すような形状に構成した場合、整流部材の端から排出口までの距離が短くなり、渦の発生をより効果的に防止できる。
<実施形態３：効果>
【００３５】
本発明によれば、広範囲に飛散する粉塵や飛沫を効率良く吸引可能な吸気装置を提供できる。
【図面の簡単な説明】
【００３６】
【図１】実施形態１の吸気装置の全体を示す概念図
【図２】実施形態１の吸気装置における吸引フード部分を拡大した図
【図３】従来技術における整流の様子を示す概念図
【図４】実施形態１の吸気装置における整流の様子を示す概念図
【図５】整流部材の形状の一例を示す図
【図６】整流部材の形状の一例を示す図
【図７】整流部材の形状の一例を示す図
【図８ａ】整流部材を平面状に構成した場合における吸気装置が煙を吸引する様子を撮影した写真
【図８ｂ】整流部材を流体の流れてゆく向きを下側として凸形状に構成した場合における吸気装置が煙を吸引する様子を撮影した写真
【図８ｃ】整流部材を流体の流れてゆく向きを上側として凸形状の略部分球型に構成した場合における吸気装置が煙を吸引する様子を撮影した写真
【図８ｄ】整流部材を流体の流れてゆく向きを上側として凸形状の略卵型に構成した場合における吸気装置が煙を吸引する様子を撮影した写真
【図９】実施形態２の吸気装置における吸引フード部分を拡大した図
【図１０】実施形態３の吸気装置における吸引フード部分を拡大した図
【符号の説明】
【００３７】
０１０１  本体
０１０２  アーム
０１０３  吸引フード
０２０４  整流部材
０２０５  吸引口
０２０６  排出口
０２０７  支持台
１００８  はみだして設けられる整流部材部分
【図１】
2014210003.tif 000003
【図２】
2014210003.tif 000004
【図３】
2014210003.tif 000005
【図４】
2014210003.tif 000006
【図５】
2014210003.tif 000007
【図６】
2014210003.tif 000008
【図７】
2014210003.tif 000009
【図８ａ】
2014210003.tif 000010
【図８ｂ】
2014210003.tif 000011
【図８ｃ】
2014210003.tif 000012
【図８ｄ】
2014210003.tif 000013
【図９】
2014210003.tif 000014
【図１０】
2014210003.tif 000015